(57)【要約】      （修正有）【課題】蒸発コイルを廃止し、冷却ユニットのコンパクト化・低コスト化・防音を図る。【解決手段】圧縮機１０２周囲に取付けたガイド１０１ａとドレーン水を吸上げるウォータシート１０６ａ、１０６ｂを備え、ガイド１０１ａにより圧縮機１０２の排熱をウォータシート１０６ａ、１０６ｂ間に吹き当てることより、ドレーン水１０８の温度が上がり、ウォータシート１０６ａ、１０６ｂ両表面の湿度が下がることととなり、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。【選択図】図１
2010049594.tif 000002
【特許請求の範囲】
【請求項１】
収納庫を内部に備えた本体キャビネットと、前記収納庫内を冷却する圧縮機を含む冷却装置と、前記圧縮機周囲に取付けた風路規制部と、前記収納庫内に発生したドレーン水を吸上げる蒸発部材および蒸発皿を含むドレーン水蒸発装置とを備え、前記風路規制部により前記圧縮機の排熱を前記ドレーン水蒸発装置に送り、ドレーン水を蒸発させることを特徴とする自動販売機。
【請求項２】
ドレーン水蒸発装置の蒸発部材を、蒸発皿の長手方向に沿って複数列配置したことを特徴とする請求項１に記載の自動販売機。
【請求項３】
前記風路規制部を、前記圧縮機上部及び側部に備え、前記上部の風路規制部は前記複数列の蒸発部材間に向け下方に吐出する構成としたことを特徴とする請求項１に記載の自動販売機。
【請求項４】
前記風路規制部による風の流れに対する最下流の蒸発部材は、前記蒸発皿の側面に接して配置したことを特徴とする請求項２または３に記載の自動販売機。
【請求項５】
前記風路規制部を、前記圧縮機上部及び側部に備え、前記上部の風路規制部は一部を風の流れの上流側の前記蒸発部材に向け、一部を下流側の前記蒸発部材に向け、双方とも下方に吐出する構成としたことを特徴とする請求項２から４のいずれか一項に記載の自動販売機。
【発明の詳細な説明】
【技術分野】
【０００１】
本発明はドレーン水を蒸発するドレーン水蒸発装置を備えた自動販売機に関するものである。
【背景技術】
【０００２】
従来、この種の自動販売機のドレーン水蒸発装置は冷却器内蔵の商品収納庫内に生じたドレーン水を商品収納庫から排出して下部の機械室内に配置した蒸発皿に導き、この蒸発皿内に配管した蒸発パイプに高温冷媒ガスを流してドレーン水を加熱，蒸発させるようにした自動販売機のドレーン水処理装置において、蒸発皿に通じるドレーン水の流下通路の途中に吸水性のある蒸発シートを布設し、ドレーン水の一部を蒸発皿に至る手前で前記蒸発シートが吸い取ってその表面から周囲に蒸発放散させるようにするものとし、具体的には蒸発シートの上端をドレーン水排出口に固定し、下端を蒸発皿の中に垂らして吊り下げて設置している（例えば、特許文献１参照）。
【０００３】
図７は、特許文献１に記載された従来の自動販売機のドレーン水蒸発装置を示すものである。図７に示すように、１２は商品収納庫１３の底部と機械室５との間を仕切る断熱壁であり、断熱壁１２を貫通して機械室５に引出した排水管１０がその下方に敷設した排水樋９に向けて開口しており、該排水樋９に開けた排水口９ａを通じて機械室内に配置した蒸発皿８にドレーン水を導くようにしている。そして、排水樋９の排水口９ａから蒸発皿８に至るドレーン水の排水通路に蒸発シート１４が新たに配置されている。この蒸発シート１２は吸水性のある布を例えば筒状にして作られたものであり、その上端を排水樋９の排水口９ａに固定し、下端を蒸発皿８の中に垂らしておく。
【０００４】
以上のように構成された自動販売機のドレーン水蒸発装置について、以下その動作を説明する。
【０００５】
まず、商品収納庫１３の庫内に発生したドレーン水は、排水管１０，排水樋９の排水口９ａを通じて蒸発皿８へ流下する途上で蒸発シート１４に浸透し、蒸発コイル６ｇによりドレーン水の温度を上げ、蒸発シート１４に吹き当てた排気ファンの風によりドレーン水の一部が蒸発シート１４の表面から蒸発して周囲に放散される。
【特許文献１】特開平１１−２５０３３０号公報
【発明の開示】
【発明が解決しようとする課題】
【０００６】
しかしながら、上記従来の構成では、ドレーン水の蒸発を促すために、ドレーン水の温度を上げるための蒸発コイル６ｇを用いていた。しかし、蒸発コイル６ｇはドレーン水の蒸発を促進するためだけに使用されており、付加価値が少ない割にコストが高いという課題を有していた。また、蒸発コイル６ｇは寸法が大きいため、蒸発シート１４の取付けが規制され、ドレーン水の蒸発を促進する形状の蒸発シート１４を使用できないという課題も有していた。さらに、蒸発コイル６ｇの振動により騒音が発生するという課題も有していた。
【０００７】
本発明は、上記従来の課題を解決するもので、蒸発コイル６ｇ無しで従来と同等以上のドレーン水蒸発能力を確保することで、蒸発コイル６ｇ廃止による冷却ユニットのコンパクト化・低コスト化・防音を実現することとした自動販売機のドレーン水蒸発装置を提供することを目的とする。
【課題を解決するための手段】
【０００８】
上記従来の課題を解決するために、本発明の自動販売機は、収納庫を内部に備えた本体キャビネットと、前記収納庫内を冷却する圧縮機を含む冷却装置と、前記圧縮機周囲に取付けた風路規制部と、前記収納庫内に発生したドレーン水を吸上げる蒸発部材および蒸発皿を含むドレーン水蒸発装置とを備え、前記風路規制部により前記圧縮機の排熱を前記ドレーン水蒸発装置に送り、ドレーン水を蒸発させるものである。
【０００９】
これによって、ドレーン水の温度を上昇させ、ウォータシート表面の湿度を下げることで、従来と同等以上の蒸発能力を確保しながら蒸発コイルを取り除くことが可能となる。
【発明の効果】
【００１０】
本発明の自動販売機は、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。
【発明を実施するための最良の形態】
【００１１】
請求項１に記載の発明は、収納庫を内部に備えた本体キャビネットと、前記収納庫内を冷却する圧縮機を含む冷却装置と、前記圧縮機周囲に取付けた風路規制部と、前記収納庫内に発生したドレーン水を吸上げる蒸発部材および蒸発皿を含むドレーン水蒸発装置とを備え、前記風路規制部により前記圧縮機の排熱を前記ドレーン水蒸発装置に送り、ドレーン水を蒸発させるものであり、ドレーン水の温度が上がり、前記蒸発部材表面の湿度が下がることととなり、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。
【００１２】
請求項２に記載の発明は、請求項１に記載の発明において、ドレーン水蒸発装置の蒸発部材を、蒸発皿の長手方向に沿って複数列配置したものであり、より多くの熱風が前記蒸発部材に吹き当たることとなり、常に前記蒸発部材の表面をドレーン水が蒸発し易い低湿の状態にすることができる。
【００１３】
請求項３に記載の発明は、請求項１に記載の発明において、前記風路規制部を、前記圧縮機上部及び側部に備え、前記上部の風路規制部は前記複数列の蒸発部材間に向け下方に吐出する構成としたものであり、蒸発部材へ熱風を送ることが困難な構造である場合のときも、ドレーン水の温度が上がり、前記蒸発部材表面の湿度が下がることととなり、従来と同等以上の蒸発能力を確保しながら蒸発コイルを取り除くことができるので、冷却ユニットの構造がコンパクトになるだけでなく、蒸発コイルの分だけコストを下げることができる。そして、蒸発コイルの振動による騒音もなくすことができる。さらに、前記蒸発皿の位置変更に対しても上記作用効果を維持することができる。
【００１４】
請求項４に記載の発明は、請求項２または３に記載の発明において、前記風路規制部による風の流れに対する最下流の蒸発部材は、前記蒸発皿の側面に接して配置したものであり、熱風が少ない場合でも前記蒸発部材の蒸発を行う表面積を有効的に利用し、前記蒸発部材の多くの表面をドレーン水が蒸発し易い低湿の状態にすることができる。さらに、前記蒸発部材を有効的に利用することにより、蒸発部材を小型化することが可能となる。
【００１５】
請求項５に記載の発明は、請求項２から４のいずれか一項に記載の発明において、前記風路規制部を、前記圧縮機上部及び側部に備え、前記上部の風路規制部は一部を風の流れの上流側の前記蒸発部材に向け、一部を下流側の前記蒸発部材に向け、双方とも下方に吐出する構成としたものであり、さらに効率良く熱風を前記蒸発部材に送ることが可能となり、従来と同等以上の蒸発能力を確保しながら蒸発コイルを取り除くことができるので、冷却ユニットの構造がコンパクトになるだけでなく、蒸発コイルの分だけコストを下げることができる。そして、蒸発コイルの振動による騒音もなくすことができる。さらに、蒸発部材を小型化することが可能となる。
【００１６】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１７】
（実施の形態１）
図１は、本発明の実施の形態１における自動販売機のドレーン水蒸発装置の構成図である。図２は、本発明の実施の形態１における自動販売機のドレーン水蒸発装置の右側面図である。図３は、本発明の実施の形態１における自動販売機のドレーン水蒸発装置の風路規制部と蒸発皿と蒸発部材の概略図である。図４は、本発明の実施の形態１における自動販売機のドレーン水蒸発装置の蒸発部材の斜視図である。
【００１８】
まず、風路規制部について説明する。図１より、ガイド１０１ａ（風路規制部）が圧縮機１０２を囲う様に取付ける。具体的には、図２において、コンデンサファン１０３上部から圧縮機１０２上部を経てコンデンサファン１０３と反対方向の圧縮機１０２側面までガイド１０１ａを取付ける。そして、蒸発皿１０５と反対方向の圧縮機１０２側面も同様にガイド１０１ａを取付ける。このとき、圧縮機１０２側面のガイド１０１ａが圧縮機１０２を覆う範囲はこれに限定されるものではない。
【００１９】
次に、蒸発部材の蒸発皿１０５への取付けについて説明する。図１より、ウォータシート１０６ａ（蒸発部材）を蒸発皿１０５の圧縮機１０２側の長手方向（縦方向）に沿って一端からもう一端まで取り付け、ウォータシート１０６ｂ（蒸発部材）を蒸発皿１０５の圧縮機１０２の反対側の長手方向（縦方向）に沿って一端からもう一端まで取り付ける。そして、図３より、ウォータシート１０６ａ、１０６ｂの高さはガイド１０１ａより低くする。
【００２０】
また、図３より、ガイド１０１ａの先端はウォータシート１０６ａとウォータシート１０６ｂ間に熱風が向くように下方に吐出する構成としている。
【００２１】
次に、蒸発部材の形状・材質について説明する。図４より、ウォータシート１０６ａ、１０６ｂの形状は、表面積の大きい扇形で、ウォータシート１０６ａ、１０６ｂには複数の穴１０７を設けて通気性をよくしている。また、材質は繊維、例えば加工に優れた紙がある。
【００２２】
以上のように構成された自動販売機のドレーン水蒸発装置について、以下その動作、作用を説明する。
【００２３】
まず、図１より、コンデンサファンからの風は圧縮機１０２に吹き当り、高温となった圧縮機１０２表面から熱を奪い熱風となる。そして、この熱風は圧縮機１０２を吹き抜けた後、ガイド１０１ａを沿いながら蒸発皿１０５の方向へ対流する。次に、図３より、ガイド１０１ａによる風向規制により熱風は、ウォータシート１０６ａ、１０６ｂの両表面の水蒸気が取り除かれて付近の湿度が低くなり、さらにドレーン水１０８が熱風から熱を奪うことで水温が上昇する。
【００２４】
よって、水温が高く・周囲の湿度が低い方が水は蒸発しやすいことより、ドレーン水１０８の蒸発が促される。そして、ウォータシート１０６ａ、１０６ｂに穴１０７を開けることで、熱風の通気性が向上する。
【００２５】
よって、より多くの熱風がウォータシート１０６ａ、１０６ｂに吹き当り、ウォータシート１０６ａ、１０６ｂ表面の高湿の空気をスムーズに排気するため、常にウォータシート１０６ａ、１０６ｂ表面をドレーン水１０８が蒸発し易い低湿の状態にすることができる。
【００２６】
以上のように、本実施の形態においては、ガイド１０１ａ（風路規制部）を圧縮機１０２上部及び側面に取付け、ウォータシート１０６ａ、１０６ｂを蒸発皿１０５の両長手方向に沿って取付けることにより、ドレーン水１０８の温度をより上昇させ、ウォータシート１０６ａ、１０６ｂ表面の湿度を下げることで、従来と同等以上の蒸発能力を確保でき、蒸発コイルを必要としないので、冷却ユニットの構造がコンパクトになるだけでなく、従来より蒸発コイルの分だけコストを下げることができる。そして、蒸発コイルの振動による騒音もなくすことができる。さらに、ガイド１０１ａにより蒸発皿１０５の位置が変わった場合、つまりより広範囲で上記効果を実現できる。
【００２７】
（実施の形態２）
図５は、本発明の実施の形態２における自動販売機のドレーン水蒸発装置の構成図である。図６は、本発明の実施の形態２における自動販売機のドレーン水蒸発装置の風路規制部と蒸発皿との概略図である。
【００２８】
まず、風路規制部について説明する。図５より、コンデンサファン１０３上部から圧縮機１０２上部を経てコンデンサファン１０３と反対方向の圧縮機１０２側面までガイド１０１ｂを取付ける。そして、蒸発皿１０５と反対方向の圧縮機１０２側面も同様にガイド１０１ｂを取付ける。このとき、圧縮機１０２側面のガイド１０１ｂが圧縮機１０２を覆う範囲はこれに限定されるものではない。
【００２９】
次に、蒸発部材の蒸発皿１０５への取付けについて説明する。図５より、ウォータシート１０６ｄを蒸発皿１０５の圧縮機１０２から遠い側の側面に接して長手方向（縦方向）に沿って一端からもう一端まで取り付け、ウォータシート１０６ｃを蒸発皿１０５の圧縮機１０２側の側面とウォータシート１０６ｄの中間に長手方向（縦方向）に一端からもう一端まで取り付ける。そして、図６より、ウォータシート１０６ｃ、１０６ｄの高さはガイド１０１ｂより低くする。このとき、ウォータシート１０６ｃの位置は、蒸発皿１０５の側面とウォータシート１０６ｄの中間に限定されるものではなく、蒸発皿１０５の側面に接しない範囲で選択可能である。
【００３０】
また、図６より、ガイド１０１ｂの先端の一方はウォータシート１０６ｃとウォータシート１０６ｄ間に熱風が向くように下方に吐出され、先端の他方はウォータシート１０６ｃに熱風が向くように下方に吐出される構造としている。
【００３１】
ここで、ウォータシート１０６ｄの形状・材質は実施の形態１と同一であるので説明を省略する。
【００３２】
以上のように構成された自動販売機のドレーン水蒸発装置について、以下その動作、作用を説明する。
【００３３】
まず、図５より、圧縮機１０２を吹き抜けた熱風はガイド１０１ｂを沿いながら蒸発皿１０５の方向へ対流する。次に、図６より、ガイド１０１ｂによる風向規制により熱風の一方は、ウォータシート１０６ｃの圧縮機１０２側の表面の水蒸気が取り除かれて付近の湿度を低くし、他方の熱風はウォータシート１０６ｃとウォータシート１０６ｄの両表面の水蒸気を取り除き付近の湿度が低くし、さらにドレーン水１０８が熱風から熱を奪うことで水温が上昇する。
【００３４】
以上のように、本実施の形態においては、ガイド１０１ｂ（風路規制部）を圧縮機１０２上部及び側面に取付け、ウォータシート１０６ｄを蒸発皿１０５の長手方向に沿って取付け、ウォータシート１０６ｃを蒸発皿１０５の圧縮機１０２側の側面とウォータシート１０６ｄの中間付近に取付けることにより、ドレーン水１０８の温度をより上昇させ、ウォータシート１０６ｃ、１０６ｄ両表面の湿度を下げることで、蒸発コイルを用いることなく従来と同等以上の蒸発能力を確保できる。さらに、蒸発能力をさらにアップすることにより、ウォータシート１０６ｃ、１０６ｄを小型化できコストを下げることができる。
【産業上の利用可能性】
【００３５】
以上のように、本発明にかかる自動販売機のドレーン水蒸発装置は、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。よって、蒸発装置等の用途にも適用できる。
【図面の簡単な説明】
【００３６】
【図１】本発明の実施の形態１における自動販売機のドレーン水蒸発装置の構成図
【図２】本発明の実施の形態１における自動販売機のドレーン水蒸発装置の右側面図
【図３】本発明の実施の形態１における自動販売機のドレーン水蒸発装置の風路規制部と蒸発皿との概略図
【図４】本発明の実施の形態１における自動販売機のドレーン水蒸発装置の蒸発部材の斜視図
【図５】本発明の実施の形態２における自動販売機のドレーン水蒸発装置の構成図
【図６】本発明の実施の形態２における自動販売機のドレーン水蒸発装置の風路規制部と蒸発皿との概略図
【図７】従来の自動販売機のドレーン水蒸発装置を示す図
【符号の説明】
【００３７】
１００  ユニットベース
１０１ａ、１０１ｂ  ガイド（風路規制部）
１０２  圧縮機
１０３  コンデンサファン
１０４  凝縮器
１０５  蒸発皿
１０６ａ、１０６ｂ、１０６ｃ、１０６ｄ  ウォータシート（蒸発部材）
１０７  穴
１０８  ドレーン水
【図１】
2010049594.tif 000003
【図２】
2010049594.tif 000004
【図３】
2010049594.tif 000005
【図４】
2010049594.tif 000006
【図５】
2010049594.tif 000007
【図６】
2010049594.tif 000008
【図７】
2010049594.tif 000009